(57)【要約】【課題】本発明は水源を定期的にサンプリングして水質を検査することの報知装置を開示した。【解決手段】浮きブロックを含み、前記浮きブロックの中には作動チャンバが設置され、前記作動チャンバの中には定時装置が設置され、前記定時装置は前記作動チャンバの底壁に固定的に装着されたベースを含み、前記ベースの中には昇降ロッドがスライドできるように連結され、前記昇降ロッドと前記ベースとの間には連結ばねが連結され、前記昇降ロッドの中には移動ロッドがスライドできるように連結され、前記移動ロッドの左側には移動板が固定的に設置され、まず浮きブロックを岸辺に固定し、本装置は河流などの水源の岸辺に固定的に装着されることができ、そして本装置は十二時間ごとに起動して一回作動し、定時に水源の水質を検査し、効果的に作業員の時間を節約でき、また水質を検査することを忘れない。【選択図】図１
2020203277.tif 000002
【特許請求の範囲】
【請求項１】
浮きブロックを含み、前記浮きブロックの中には作動チャンバが設置され、前記作動チャンバの中には定時装置が設置され、
前記定時装置は前記作動チャンバの底壁に固定的に装着されたベースを含み、前記ベースの中には昇降ロッドがスライドできるように連結され、前記昇降ロッドと前記ベースとの間には連結ばねが連結され、前記昇降ロッドの中には移動ロッドがスライドできるように連結され、前記移動ロッドの左側には移動板が固定的に設置され、前記移動板と前記ベースとの間には復帰ばねが連結され、前記作動チャンバの前後両側壁にはヒンジ軸が回転できるように連結され、前記ヒンジ軸には引っ掛かり針が固定的に設置され、前記引っ掛かり針が前記移動ロッドとヒンジで連結され、前記作動チャンバの後壁には駆動軸が回転できるように連結され、前記駆動軸の前側には前記引っ掛かり針と協働されたラチェット歯車が固定的に設置され、前記駆動軸の後側には第一歯車が固定的に設置され、
前記作動チャンバの底側には底部空間が設置され、前記底部空間と前記作動チャンバとの中には動力装置が設置され、前記作動チャンバの後壁にはラックスライドチャンバが設置され、前記ラックスライドチャンバの中には移動装置が設置され、前記ラックスライドチャンバの左側には前記底部空間と連通した第二紐チャンバが連通しており、前記ラックスライドチャンバの右側には貯蔵チャンバが設置され、前記貯蔵チャンバの中には水質を検査できる検査装置が設置され、前記移動装置は前記検査装置を始動でき、前記貯蔵チャンバの下側にはウォータータンクが設置され、前記ウォータータンクの中には検査装置を協働する報知装置が設置され、前記浮きブロックの中にはまた装置全体の作動とエネルギーの提供とを制御する制御装置があることを特徴とする水源を定期的にサンプリングして水質を検査することの報知装置。
【請求項２】
前記動力装置はモーターと、モーター軸と、Ｌ型ロッドと、カムと、第一Ｔ型環状チャンバと、ラチェット歯車機構と、連動ブロックと、制限スライドチャンバと、制限ブロックと、Ｔ型ロッドと、巻き車と、第二紐と、第二Ｔ型環状チャンバとによって構成され、前記作動チャンバの底壁に固定的に装着された前記モーターを含み、前記モーターの中には前記底部空間の底壁と回転できるように連結された前記モーター軸が連結され、前記作動チャンバの左側壁には前記Ｌ型ロッドが固定的に設置され、前記モーター軸の頂側には前記カムが設置され、前記カムの頂面には上方に開口した前記第一Ｔ型環状チャンバが設置され、前記第一Ｔ型環状チャンバが前記Ｌ型ロッドとスライドできるように連結され、前記カムと前記モーター軸との間には前記ラチェット歯車機構が設置され、前記ラチェット歯車機構は前記モーター軸に固定的に装着された前記連動ブロックを含み、前記カムの内壁の中には前記制限スライドチャンバが左右対称的に設置され、前記制限スライドチャンバの中には前記制限ブロックがスライドできるように連結され、前記制限ブロックが前記連動ブロックと当接でき、前記モーター軸が正方向に回転することを通して前記連動ブロックによって前記制限ブロックと前記カムとを回転連動させることができ、それに反しては、前記モーター軸が逆方向に回転することを通して前記連動ブロックによって前記制限ブロックと前記カムとを回転連動させることができなく、前記底部空間の底壁には前記Ｔ型ロッドが左右対称的に固定的に設置され、前記モーター軸の底側には前記巻き車が設置され、前記巻き車の中には下方に開口した前記第二Ｔ型環状チャンバが設置され、前記第二Ｔ型環状チャンバが前記Ｔ型ロッドとスライドできるように連結され、前記巻き車と前記モーター軸との間には前記ラチェット歯車機構の取り付け方向と反対であるもう一つの前記ラチェット歯車機構が設置され、前記モーター軸が逆方向に回転することによって前記巻き車を回転連動させることができ、それに反して前記モーター軸が正方向に回転すれば、前記巻き車を回転連動させることができないことを特徴とする請求項１に記載の水源を定期的にサンプリングして水質を検査することの報知装置。
【請求項３】
前記移動装置はラックと、短板スライドチャンバと、短板と、小ばねとによって構成され、前記ラックスライドチャンバの中にスライドできるように装着された前記ラックを含み、前記巻き車と前記ラックとの間には前記第二紐が連結され、前記ラックが前記第一歯車と噛み合っており、前記ラックスライドチャンバの底壁には前記短板スライドチャンバが設置され、前記短板スライドチャンバの中には前記ラックと当接できる前記短板がスライドできるように連結され、前記短板と前記短板スライドチャンバとの間には前記小ばねが連結されていることを特徴とする請求項１に記載の水源を定期的にサンプリングして水質を検査することの報知装置。
【請求項４】
前記検査装置は軟質膜と、開口チャンバと、ねじれ板と、止めブロックと、連通ヘッドとによって構成され、前記貯蔵チャンバの左側面に設置された前記軟質膜を含み、前記貯蔵チャンバの頂面には上方に開口した前記開口チャンバが設置され、前記開口チャンバの中には前記ねじれ板が回転できるように連結され、前記開口チャンバの後壁には前記ねじれ板と当接できる前記止めブロックが設置され、前記ねじれ板は下方へ運動しかできなく、前記貯蔵チャンバの底面には前記ウォータータンクと連通した前記連通ヘッドが固定的に設置されていることを特徴とする請求項１に記載の水源を定期的にサンプリングして水質を検査することの報知装置。
【請求項５】
前記報知装置は探知器と、送信機と、第一電線とによって構成され、前記ウォータータンクの右側壁に固定的に装着された前記探知器を含み、前記探知器の上側には前記浮きブロックと固定的に連結された前記送信機が設置され、前記送信機と前記検知器との間には前記第一電線が連結されていることを特徴とする請求項１に記載の水源を定期的にサンプリングして水質を検査することの報知装置。
【請求項６】
前記制御装置は回転軸と、第二歯車と、ソーラーパネルと、第二電線と、電池と、制御板と、第五電線と、横向きスライドチャンバと、第一紐チャンバと、電気接続板と、電気接続ヘッドと、第一紐と、第三紐と、第三電線と、第四電線と、水ポンプとによって構成され、前記作動チャンバの上下側壁に回転できるように装着された前記回転軸を含み、前記回転軸には前記ラックと噛み合っている前記第二歯車が固定的に設置され、前記回転軸が上方に伸びて前記作動チャンバの頂壁を貫通しており、且つ前記浮きブロックの頂面と回転できるように連結され、前記回転軸の左側には前記ソーラーパネルが固定的に設置され、前記回転軸の中には前記ソーラーパネルと連結された前記第二電線が設置され、前記回転軸の底側には前記電池が設置され、前記第二電線が前記電池と連結され、前記電池の底側には前記制御板が設置され、前記制御板と前記電池との間には前記第五電線が連結され、前記制御板の底側には前記横向きスライドチャンバが設置され、前記横向きスライドチャンバの左右側壁には前記第一紐チャンバが設置され、前記第一紐チャンバの右側が前記軟質膜と連結され、前記横向きスライドチャンバの中には前記電気接続板がスライドできるように連結され、前記電気接続板の中には前記電気接続ヘッドが左右対称的に設置され、前記軟質膜の左側面と前記電気接続板の右側面とには前記第一紐が連結され、前記電気接続板の左側面には前記第三紐が連結され、前記第三紐のもう一端が後方に伸びてから前方に伸びて前記短板の右側面と固定的に連結され、前記制御板の底面には前記第三電線が左右対称的に設置され、前記第三電線が前記モーターと連結され、前記第三電線は前記電気接続ヘッドと通電できるように連結されることができ、一つの時間帯に、一つの前記第三電線が前記電気接続ヘッドと連通しかできなく、前記制御板の右側面には前記第四電線が連結され、前記第四電線の片側には前記水ポンプが連結され、前記水ポンプが前記ウォータータンクの底壁と連通していることを特徴とする請求項１に記載の水源を定期的にサンプリングして水質を検査することの報知装置。
【請求項７】
前記引っ掛かり針が右方へ移動する時に前記第一歯車を回転連動させることができ、前記引っ掛かり針が左方へ移動する時に前記第一歯車を回転連動させることができなく、毎回右方へ移動する距離は非常に小さく、前記第一歯車が前記ラックを一番右方に移動連動させるまでかかった時間は十二時間であることを特徴とする請求項３に記載の水源を定期的にサンプリングして水質を検査することの報知装置。
【請求項８】
右側の前記第三電線が通電した時に前記モーターが正方向に回転するのであり、左側の前記第三電線が通電した時に前記モーターが逆方向に回転するのであることを特徴とする請求項６に記載の水源を定期的にサンプリングして水質を検査することの報知装置。
【発明の詳細な説明】
【技術分野】
【０００１】
本発明は水質検査分野に関わり、具体的には水源を定期的にサンプリングして水質を検査することの報知装置である。
【背景技術】
【０００２】
国は環境保護を重視することにつれて、多くの地域の汚染された河流は次第に整備され、整備された河流の後期の管理は非常に重要であり、一旦管理は不十分であれば、整備された河流は再び汚染される恐れがあり、その故、常に河流に水質検査を行う必要があり、しかし一般的には、人で水質を検査することのであり、このような方式は労働力を費やすだけではなく、作業効率も低く、従って定期に水源の水質を検査できる装置をデザインする必要がある。
【先行技術文献】
【特許文献】
【０００３】
【特許文献１】中国特許出願公開第１０６０９３３３４号明細書
【発明の概要】
【発明が解決しようとする課題】
【０００４】
本発明の目的は水源を定期的にサンプリングして水質を検査することの報知装置を提供するのであり、それは上記背景技術にある欠点を解消できる。
【課題を解決するための手段】
【０００５】
上記の目的を実現するため、本発明は以下の技術プランを提供する：水源を定期的にサンプリングして水質を検査することの報知装置であり、水源を定期的にサンプリングして水質を検査することの報知装置は浮きブロックを含み、前記浮きブロックの中には作動チャンバが設置され、前記作動チャンバの中には定時装置が設置されている。
【０００６】
前記定時装置は前記作動チャンバの底壁に固定的に装着されたベースを含み、前記ベースの中には昇降ロッドがスライドできるように連結され、前記昇降ロッドと前記ベースとの間には連結ばねが連結され、前記昇降ロッドの中には移動ロッドがスライドできるように連結され、前記移動ロッドの左側には移動板が固定的に設置され、前記移動板と前記ベースとの間には復帰ばねが連結され、前記作動チャンバの前後両側壁にはヒンジ軸が回転できるように連結され、前記ヒンジ軸には引っ掛かり針が固定的に設置され、前記引っ掛かり針が前記移動ロッドとヒンジで連結され、前記作動チャンバの後壁には駆動軸が回転できるように連結され、前記駆動軸の前側には前記引っ掛かり針と協働されたラチェット歯車が固定的に設置され、前記駆動軸の後側には第一歯車が固定的に設置されている。
【０００７】
前記作動チャンバの底側には底部空間が設置され、前記底部空間と前記作動チャンバとの中には動力装置が設置され、前記作動チャンバの後壁にはラックスライドチャンバが設置され、前記ラックスライドチャンバの中には移動装置が設置され、前記ラックスライドチャンバの左側には前記底部空間と連通した第二紐チャンバが連通しており、前記ラックスライドチャンバの右側には貯蔵チャンバが設置され、前記貯蔵チャンバの中には水質を検査できる検査装置が設置され、前記移動装置は前記検査装置を始動でき、前記貯蔵チャンバの下側にはウォータータンクが設置され、前記ウォータータンクの中には検査装置を協働する報知装置が設置され、前記浮きブロックの中にはまた装置全体の作動とエネルギーの提供とを制御する制御装置がある。
【０００８】
上記の技術プランに基づいて、前記動力装置はモーターと、モーター軸と、Ｌ型ロッドと、カムと、第一Ｔ型環状チャンバと、ラチェット歯車機構と、連動ブロックと、制限スライドチャンバと、制限ブロックと、Ｔ型ロッドと、巻き車と、第二紐と、第二Ｔ型環状チャンバとによって構成され、前記作動チャンバの底壁に固定的に装着された前記モーターを含み、前記モーターの中には前記底部空間の底壁と回転できるように連結された前記モーター軸が連結され、前記作動チャンバの左側壁には前記Ｌ型ロッドが固定的に設置され、前記モーター軸の頂側には前記カムが設置され、前記カムの頂面には上方に開口した前記第一Ｔ型環状チャンバが設置され、前記第一Ｔ型環状チャンバが前記Ｌ型ロッドとスライドできるように連結され、前記カムと前記モーター軸との間には前記ラチェット歯車機構が設置され、前記ラチェット歯車機構は前記モーター軸に固定的に装着された前記連動ブロックを含み、前記カムの内壁の中には前記制限スライドチャンバが左右対称的に設置され、前記制限スライドチャンバの中には前記制限ブロックがスライドできるように連結され、前記制限ブロックが前記連動ブロックと当接でき、前記モーター軸が正方向に回転することを通して前記連動ブロックによって前記制限ブロックと前記カムとを回転連動させることができ、それに反しては、前記モーター軸が逆方向に回転することを通して前記連動ブロックによって前記制限ブロックと前記カムとを回転連動させることができなく、前記底部空間の底壁には前記Ｔ型ロッドが左右対称的に固定的に設置され、前記モーター軸の底側には前記巻き車が設置され、前記巻き車の中には下方に開口した前記第二Ｔ型環状チャンバが設置され、前記第二Ｔ型環状チャンバが前記Ｔ型ロッドとスライドできるように連結され、前記巻き車と前記モーター軸との間には前記ラチェット歯車機構の取り付け方向と反対であるもう一つの前記ラチェット歯車機構が設置され、前記モーター軸が逆方向に回転することによって前記巻き車を回転連動させることができ、それに反して前記モーター軸が正方向に回転すれば、前記巻き車を回転連動させることができない。
【０００９】
上記の技術プランに基づいて、前記移動装置はラックと、短板スライドチャンバと、短板と、小ばねとによって構成され、前記ラックスライドチャンバの中にスライドできるように装着された前記ラックを含み、前記巻き車と前記ラックとの間には前記第二紐が連結され、前記ラックが前記第一歯車と噛み合っており、前記ラックスライドチャンバの底壁には前記短板スライドチャンバが設置され、前記短板スライドチャンバの中には前記ラックと当接できる前記短板がスライドできるように連結され、前記短板と前記短板スライドチャンバとの間には前記小ばねが連結されている。
【００１０】
上記の技術プランに基づいて、前記検査装置は軟質膜と、開口チャンバと、ねじれ板と、止めブロックと、連通ヘッドとによって構成され、前記貯蔵チャンバの左側面に設置された前記軟質膜を含み、前記貯蔵チャンバの頂面には上方に開口した前記開口チャンバが設置され、前記開口チャンバの中には前記ねじれ板が回転できるように連結され、前記開口チャンバの後壁には前記ねじれ板と当接できる前記止めブロックが設置され、前記ねじれ板は下方へ運動しかできなく、前記貯蔵チャンバの底面には前記ウォータータンクと連通した前記連通ヘッドが固定的に設置されている。
【００１１】
上記の技術プランに基づいて、前記報知装置は探知器と、送信機と、第一電線とによって構成され、前記ウォータータンクの右側壁に固定的に装着された前記探知器を含み、前記探知器の上側には前記浮きブロックと固定的に連結された前記送信機が設置され、前記送信機と前記検知器との間には前記第一電線が連結されている。
【００１２】
上記の技術プランに基づいて、前記制御装置は回転軸と、第二歯車と、ソーラーパネルと、第二電線と、電池と、制御板と、第五電線と、横向きスライドチャンバと、第一紐チャンバと、電気接続板と、電気接続ヘッドと、第一紐と、第三紐と、第三電線と、第四電線と、水ポンプとによって構成され、前記作動チャンバの上下側壁に回転できるように装着された前記回転軸を含み、前記回転軸には前記ラックと噛み合っている前記第二歯車が固定的に設置され、前記回転軸が上方に伸びて前記作動チャンバの頂壁を貫通しており、且つ前記浮きブロックの頂面と回転できるように連結され、前記回転軸の左側には前記ソーラーパネルが固定的に設置され、前記回転軸の中には前記ソーラーパネルと連結された前記第二電線が設置され、前記回転軸の底側には前記電池が設置され、前記第二電線が前記電池と連結され、前記電池の底側には前記制御板が設置され、前記制御板と前記電池との間には前記第五電線が連結され、前記制御板の底側には前記横向きスライドチャンバが設置され、前記横向きスライドチャンバの左右側壁には前記第一紐チャンバが設置され、前記第一紐チャンバの右側が前記軟質膜と連結され、前記横向きスライドチャンバの中には前記電気接続板がスライドできるように連結され、前記電気接続板の中には前記電気接続ヘッドが左右対称的に設置され、前記軟質膜の左側面と前記電気接続板の右側面とには前記第一紐が連結され、前記電気接続板の左側面には前記第三紐が連結され、前記第三紐のもう一端が後方に伸びてから前方に伸びて前記短板の右側面と固定的に連結され、前記制御板の底面には前記第三電線が左右対称的に設置され、前記第三電線が前記モーターと連結され、前記第三電線は前記電気接続ヘッドと通電できるように連結されることができ、一つの時間帯に、一つの前記第三電線が前記電気接続ヘッドと連通しかできなく、前記制御板の右側面には前記第四電線が連結され、前記第四電線の片側には前記水ポンプが連結され、前記水ポンプが前記ウォータータンクの底壁と連通している。
【００１３】
上記の技術プランに基づいて、前記引っ掛かり針が右方へ移動する時に前記第一歯車を回転連動させることができ、前記引っ掛かり針が左方へ移動する時に前記第一歯車を回転連動させることができなく、毎回右方へ移動する距離は非常に小さく、前記第一歯車が前記ラックを一番右方に移動連動させるまでかかった時間は十二時間である。
【００１４】
上記の技術プランに基づいて、右側の前記第三電線が通電した時に前記モーターが正方向に回転するのであり、左側の前記第三電線が通電した時に前記モーターが逆方向に回転するのである。
【発明の効果】
【００１５】
本発明の有益な効果は：本装置は河流などの水源の岸辺に固定的に装着されることができ、そして本装置は十二時間ごとに起動して一回作動し、定時に水源の水質を検査し、効果的に作業員の時間を節約でき、また水質を検査することを忘れなく、水源の水素イオン指数は明らかに変わり、又は臨界点に達した時、装置は自動で報知できる。
本装置は太陽エネルギーによって駆動され、定期に電池を入れ替えることを省き、同時に装置は昼の時に自動でソーラーパネルを回転連動させることができ、太陽に始終に向いており、充電するのに便利を与える。
【図面の簡単な説明】
【００１６】
下記に図１〜７をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１７】
【図１】図１は本発明の水源を定期的にサンプリングして水質を検査することの報知装置の全体全断面の正面構成概略図
【図２】図２は本発明の図１の中のＡのところの部分拡大図
【図３】図３は本発明の図１の中のＢのところの部分拡大図
【図４】図４は本発明の図１の中のＣのところの部分拡大図
【図５】図５は本発明の図１の中のＤのところの部分拡大図
【図６】図６は本発明の図１の中のＥのところの部分拡大図
【図７】図７は本発明の図４の中のＦ―Ｆ方向の断面図
【発明を実施するための形態】
【００１８】
本説明書に開示したすべての特徴、または開示したすべての方法または過程中のステップは、互いに排斥する特徴と／またはステップ以外に、いずれもあらゆる方式で組み合わせることができる。
【００１９】
本説明書（いかなる追加の特許請求項と摘要と付図を含む）に公開したすべての特徴は、特別な説明を除き、いずれも他の同等または類似の目的がある代わり特徴に代われることができ、即ち、特別な説明を除き、全ての特徴はただ一連の同等のまたは類似の特徴の中の一例である。
【００２０】
図１〜７を参考し、本発明の実施例は：水源を定期的にサンプリングして水質を検査することの報知装置であり、水源を定期的にサンプリングして水質を検査することの報知装置は浮きブロック２１を含み、前記浮きブロック２１の中には作動チャンバ３９が設置され、前記作動チャンバ３９の中には定時装置１０１が設置され、前記定時装置１０１は前記作動チャンバ３９の底壁に固定的に装着されたベース７８を含み、前記ベース７８の中には昇降ロッド７７がスライドできるように連結され、前記昇降ロッド７７と前記ベース７８との間には連結ばね７９が連結され、前記昇降ロッド７７の中には移動ロッド７６がスライドできるように連結され、前記移動ロッド７６の左側には移動板７５が固定的に設置され、前記移動板７５と前記ベース７８との間には復帰ばね７４が連結され、前記作動チャンバ３９の前後両側壁にはヒンジ軸８０が回転できるように連結され、前記ヒンジ軸８０には引っ掛かり針５４が固定的に設置され、前記引っ掛かり針５４が前記移動ロッド７６とヒンジで連結され、前記作動チャンバ３９の後壁には駆動軸５５が回転できるように連結され、前記駆動軸５５の前側には前記引っ掛かり針５４と協働されたラチェット歯車５６が固定的に設置され、前記駆動軸５５の後側には第一歯車５７が固定的に設置され、前記作動チャンバ３９の底側には底部空間４３が設置され、前記底部空間４３と前記作動チャンバ３９との中には動力装置１０２が設置され、前記作動チャンバ３９の後壁にはラックスライドチャンバ３１が設置され、前記ラックスライドチャンバ３１の中には移動装置１０３が設置され、前記ラックスライドチャンバ３１の左側には前記底部空間４３と連通した第二紐チャンバ４０が連通しており、前記ラックスライドチャンバ３１の右側には貯蔵チャンバ２８が設置され、前記貯蔵チャンバ２８の中には水質を検査できる検査装置１０４が設置され、前記移動装置１０３は前記検査装置１０４を始動でき、前記貯蔵チャンバ２８の下側にはウォータータンク２２が設置され、前記ウォータータンク２２の中には検査装置１０４を協働する報知装置１０５が設置され、前記浮きブロック２１の中にはまた装置全体の作動とエネルギーの提供とを制御する制御装置１０６がある。
【００２１】
また、一つの実施例に、前記動力装置１０２は前記作動チャンバ３９の底壁に固定的に装着されたモーター４２を含み、前記モーター４２の中には前記底部空間４３の底壁と回転できるように連結されたモーター軸７３が連結され、前記作動チャンバ３９の左側壁にはＬ型ロッド５９が固定的に設置され、前記モーター軸７３の頂側にはカム６０が設置され、前記カム６０の頂面には上方に開口した第一Ｔ型環状チャンバ６４が設置され、前記第一Ｔ型環状チャンバ６４が前記Ｌ型ロッド５９とスライドできるように連結され、前記カム６０と前記モーター軸７３との間にはラチェット歯車機構１０７が設置され、前記ラチェット歯車機構１０７は前記モーター軸７３に固定的に装着された連動ブロック６３を含み、前記カム６０の内壁の中には制限スライドチャンバ６１が左右対称的に設置され、前記制限スライドチャンバ６１の中には制限ブロック６２がスライドできるように連結され、前記制限ブロック６２が前記連動ブロック６３と当接でき、前記モーター軸７３が正方向に回転することを通して前記連動ブロック６３によって前記制限ブロック６２と前記カム６０とを回転連動させることができ、それに反しては、前記モーター軸７３が逆方向に回転することを通して前記連動ブロック６３によって前記制限ブロック６２と前記カム６０とを回転連動させることができなく、前記底部空間４３の底壁にはＴ型ロッド６８が左右対称的に固定的に設置され、前記モーター軸７３の底側には巻き車７０が設置され、前記巻き車７０の中には下方に開口した第二Ｔ型環状チャンバ６９が設置され、前記第二Ｔ型環状チャンバ６９が前記Ｔ型ロッド６８とスライドできるように連結され、前記巻き車７０と前記モーター軸７３との間には前記ラチェット歯車機構１０７の取り付け方向と反対であるもう一つの前記ラチェット歯車機構１０７が設置され、前記モーター軸７３が逆方向に回転することによって前記巻き車７０を回転連動させることができ、それに反して前記モーター軸７３が正方向に回転すれば、前記巻き車７０を回転連動させることができない。
【００２２】
また、一つの実施例に、前記移動装置１０３は前記ラックスライドチャンバ３１の中にスライドできるように装着されたラック３８を含み、前記巻き車７０と前記ラック３８との間には前記第二紐４１が連結され、前記ラック３８が前記第一歯車５７と噛み合っており、前記ラックスライドチャンバ３１の底壁には短板スライドチャンバ６７が設置され、前記短板スライドチャンバ６７の中には前記ラック３８と当接できる短板６５がスライドできるように連結され、前記短板６５と前記短板スライドチャンバ６７との間には小ばね６６が連結され、前記第一歯車５７は前記ラック３８を右方へ移動連動させることができる。
【００２３】
また、一つの実施例に、前記検査装置１０４は前記貯蔵チャンバ２８の左側面に設置された軟質膜２９を含み、前記貯蔵チャンバ２８の頂面には上方に開口した開口チャンバ８１が設置され、前記開口チャンバ８１の中にはねじれ板７１が回転できるように連結され、前記開口チャンバ８１の後壁には前記ねじれ板７１と当接できる止めブロック７２が設置され、前記ねじれ板７１は下方へ運動しかできなく、前記貯蔵チャンバ２８の底面には前記ウォータータンク２２と連通した連通ヘッド２５が固定的に設置され、前記ねじれ板７１を下方へプッシュでき、その後、前記貯蔵チャンバ２８の中にＰＨ試薬液を入れられる。
【００２４】
また、一つの実施例に、前記報知装置１０５は前記ウォータータンク２２の右側壁に固定的に装着された探知器２３を含み、前記探知器２３の上側には前記浮きブロック２１と固定的に連結された送信機２７が設置され、前記送信機２７と前記検知器２３との間には第一電線２４が連結され、それによって前記検知器２３は水の色が臨界点に達したことを検出した時、前記第一電線２４によって前記送信機２７に送信することができ、その後、前記送信機２７は信号を外部に反射して自動で報知することができる。
【００２５】
また、一つの実施例に、前記制御装置１０６は前記作動チャンバ３９の上下側壁に回転できるように装着された回転軸３５を含み、前記回転軸３５には前記ラック３８と噛み合っている第二歯車３４が固定的に設置され、前記回転軸３５が上方に伸びて前記作動チャンバ３９の頂壁を貫通しており、且つ前記浮きブロック２１の頂面と回転できるように連結され、前記回転軸３５の左側にはソーラーパネル３７が固定的に設置され、前記回転軸３５の中には前記ソーラーパネル３７と連結された第二電線３６が設置され、前記回転軸３５の底側には電池５３が設置され、前記第二電線３６が前記電池５３と連結され、前記電池５３の底側には制御板５１が設置され、前記制御板５１と前記電池５３との間には第五電線５２が連結され、前記制御板５１の底側には横向きスライドチャンバ４８が設置され、前記横向きスライドチャンバ４８の左右側壁には第一紐チャンバ３２が設置され、前記第一紐チャンバ３２の右側が前記軟質膜２９と連結され、前記横向きスライドチャンバ４８の中には電気接続板４６がスライドできるように連結され、前記電気接続板４６の中には電気接続ヘッド４７が左右対称的に設置され、前記軟質膜２９の左側面と前記電気接続板４６の右側面とには第一紐３０が連結され、前記電気接続板４６の左側面には第三紐４４が連結され、前記第三紐４４のもう一端が後方に伸びてから前方に伸びて前記短板６５の右側面と固定的に連結され、前記制御板５１の底面には第三電線４５が左右対称的に設置され、前記第三電線４５が前記モーター４２と連結され、前記第三電線４５は前記電気接続ヘッド４７と通電できるように連結されることができ、一つの時間帯に、一つの前記第三電線４５が前記電気接続ヘッド４７と連通しかできなく、前記制御板５１の右側面には第四電線４９が連結され、前記第四電線４９の片側には水ポンプ５０が連結され、前記水ポンプ５０が前記ウォータータンク２２の底壁と連通しており、それによって前記ラック３８は前記第二歯車３４と、前記回転軸３５と、前記ソーラーパネル３７とを旋転連動させ、それによって前記ソーラーパネル３７は前記第二電線３６によって前記電池５３を充電できる。
【００２６】
また、一つの実施例に、前記引っ掛かり針５４が右方へ移動する時に前記第一歯車５７を回転連動させることができ、前記引っ掛かり針５４が左方へ移動する時に前記第一歯車５７を回転連動させることができなく、毎回右方へ移動する距離は非常に小さく、前記第一歯車５７が前記ラック３８を一番右方に移動連動させるまでかかった時間は十二時間であり、それによって前記ソーラーパネル３７は昼の時に始終に太陽の移動によって旋転できる。
【００２７】
また、一つの実施例に、右側の前記第三電線４５が通電した時に前記モーター４２が正方向に回転するのであり、左側の前記第三電線４５が通電した時に前記モーター４２が逆方向に回転するのである。
【００２８】
検査する時、まず浮きブロック２１を岸辺に固定し、その後、ねじれ板７１を下方へプッシュし、その後、貯蔵チャンバ２８の中にＰＨ試薬液を入れ、右側の第三電線４５が正方向にモーター４２を起動連動させ、モーター軸７３が正方向に回転し始め、その後、上側のラチェット歯車機構１０７はカム６０を回転連動させ、それによって移動板７５を右方へ移動連動させ、それによって移動板７５と移動ロッド７６とが右方へ移動し、それによって移動板７５を絶えずに回し、それによって移動ロッド７６と昇降ロッド７７とが往復運動を行い、引っ掛かり針５４が右方へ運動する時にラチェット歯車５６を回転連動させることができ、それによって駆動軸５５と第一歯車５７とを回転連動させ始め、それによってラック３８を右方へ移動連動させ、それによって第二歯車３４と、回転軸３５と、ソーラーパネル３７とを緩く旋転連動させ、それによってソーラーパネル３７を始終に太陽の位置と合わせ、それによってソーラーパネル３７は第二電線３６によって電池５３を充電でき、ラック３８が一番右側に運動した時、軟質膜２９を右方へ押し、それによって一部のＰＨ試薬液をウォータータンク２２の中に押し出し、その後、軟質膜２９が第一紐３０によって電気接続板４６を右方へ移動連動させ、左側の電気接続ヘッド４７が第三電線４５と接続され、それによってモーター４２を逆方向に回転連動させ、それによって巻き車７０を旋転連動させ、それによって第二紐４１がラック３８を一番左端に引き戻し、その後、ラック３８が短板６５を左方へ引き動かし、それによって第三紐４４によって電気接続板４６を左側に引き戻して改めてモーター４２を正方向に始動し、制御板５１は十二時間ごとに第四電線４９によって水ポンプ５０を開け、それによって水をウォータータンク２２の中に吸い上げ、そしてＰＨ試薬液と混合し、検知器２３は水の色が臨界点に達したことを検出した時、第一電線２４によって送信機２７に送信し、その後、送信機２７は信号を外部に反射して自動で報知でき、その後、水ポンプ５０によってウォータータンク２２の中の水をウォータータンク２２から排出する。
【００２９】
本発明の有益な効果は：本装置は河流などの水源の岸辺に固定的に装着されることができ、そして本装置は十二時間ごとに起動して一回作動し、定時に水源の水質を検査し、効果的に作業員の時間を節約でき、また水質を検査することを忘れなく、水源の水素イオン指数は明らかに変わり、又は臨界点に達した時、装置は自動で報知できる。
【００３０】
本装置は太陽エネルギーによって駆動され、定期に電池を入れ替えることを省き、同時に装置は昼の時に自動でソーラーパネルを回転連動させることができ、太陽に始終に向いており、充電するのに便利を与える。
【００３１】
上記は、ただ発明の具体的な実施方式であり、発明の保護範囲はこれに限定されたものではなく、創造的な労働を通さなく想到できる全ての変化又は入れ替わりは、本発明の保護範囲の中に含む。したがって、発明の保護範囲は特許請求に限定された保護範囲を基準とするべきである。
【図１】
2020203277.tif 000003
【図２】
2020203277.tif 000004
【図３】
2020203277.tif 000005
【図４】
2020203277.tif 000006
【図５】
2020203277.tif 000007
【図６】
2020203277.tif 000008
【図７】
2020203277.tif 000009
【手続補正書】
【提出日】令和2年8月25日(2020.8.25)
【手続補正１】
【補正対象書類名】特許請求の範囲
【補正対象項目名】全文
【補正方法】変更
【補正の内容】
【特許請求の範囲】
【請求項１】
浮きブロックを含み、前記浮きブロックの中には作動チャンバが設置され、前記作動チャンバの中には定時装置が設置され、
前記定時装置は前記作動チャンバの底壁に固定的に装着されたベースを含み、前記ベースの中には昇降ロッドがスライドできるように連結され、前記昇降ロッドと前記ベースとの間には連結ばねが連結され、前記昇降ロッドの中には移動ロッドがスライドできるように連結され、前記移動ロッドの左側には移動板が固定的に設置され、前記移動板と前記ベースとの間には復帰ばねが連結され、前記作動チャンバの前後両側壁にはヒンジ軸が回転できるように連結され、前記ヒンジ軸には引っ掛かり針が固定的に設置され、前記引っ掛かり針が前記移動ロッドとヒンジで連結され、前記作動チャンバの後壁には駆動軸が回転できるように連結され、前記駆動軸の前側には前記引っ掛かり針と協働されたラチェット歯車が固定的に設置され、前記駆動軸の後側には第一歯車が固定的に設置され、
前記作動チャンバの底側には底部空間が設置され、前記底部空間と前記作動チャンバとの中には動力装置が設置され、前記作動チャンバの後壁にはラックスライドチャンバが設置され、前記ラックスライドチャンバの中には移動装置が設置され、前記ラックスライドチャンバの左側には前記底部空間と連通した第二紐チャンバが連通しており、前記ラックスライドチャンバの右側には貯蔵チャンバが設置され、前記貯蔵チャンバの中には水質を検査できる検査装置が設置され、前記移動装置は前記検査装置を始動でき、前記貯蔵チャンバの下側にはウォータータンクが設置され、前記ウォータータンクの中には検査装置を協働する報知装置が設置され、前記浮きブロックの中にはまた装置全体の作動とエネルギーの提供とを制御する制御装置があり、
前記動力装置はモーターと、モーター軸と、Ｌ型ロッドと、カムと、第一Ｔ型環状チャンバと、ラチェット歯車機構と、連動ブロックと、制限スライドチャンバと、制限ブロックと、Ｔ型ロッドと、巻き車と、第二紐と、第二Ｔ型環状チャンバとによって構成され、前記作動チャンバの底壁に固定的に装着された前記モーターを含み、前記モーターの中には前記底部空間の底壁と回転できるように連結された前記モーター軸が連結され、前記作動チャンバの左側壁には前記Ｌ型ロッドが固定的に設置され、前記モーター軸の頂側には前記カムが設置され、前記カムの頂面には上方に開口した前記第一Ｔ型環状チャンバが設置され、前記第一Ｔ型環状チャンバが前記Ｌ型ロッドとスライドできるように連結され、前記カムと前記モーター軸との間には前記ラチェット歯車機構が設置され、前記ラチェット歯車機構は前記モーター軸に固定的に装着された前記連動ブロックを含み、前記カムの内壁の中には前記制限スライドチャンバが左右対称的に設置され、前記制限スライドチャンバの中には前記制限ブロックがスライドできるように連結され、前記制限ブロックが前記連動ブロックと当接でき、前記モーター軸が正方向に回転することを通して前記連動ブロックによって前記制限ブロックと前記カムとを回転連動させることができ、それに反しては、前記モーター軸が逆方向に回転することを通して前記連動ブロックによって前記制限ブロックと前記カムとを回転連動させることができなく、前記底部空間の底壁には前記Ｔ型ロッドが左右対称的に固定的に設置され、前記モーター軸の底側には前記巻き車が設置され、前記巻き車の中には下方に開口した前記第二Ｔ型環状チャンバが設置され、前記第二Ｔ型環状チャンバが前記Ｔ型ロッドとスライドできるように連結され、前記巻き車と前記モーター軸との間には前記ラチェット歯車機構の取り付け方向と反対であるもう一つの前記ラチェット歯車機構が設置され、前記モーター軸が逆方向に回転することによって前記巻き車を回転連動させることができ、それに反して前記モーター軸が正方向に回転すれば、前記巻き車を回転連動させることができなく、
前記移動装置はラックと、短板スライドチャンバと、短板と、小ばねとによって構成され、前記ラックスライドチャンバの中にスライドできるように装着された前記ラックを含み、前記巻き車と前記ラックとの間には前記第二紐が連結され、前記ラックが前記第一歯車と噛み合っており、前記ラックスライドチャンバの底壁には前記短板スライドチャンバが設置され、前記短板スライドチャンバの中には前記ラックと当接できる前記短板がスライドできるように連結され、前記短板と前記短板スライドチャンバとの間には前記小ばねが連結されており、
前記検査装置は軟質膜と、開口チャンバと、ねじれ板と、止めブロックと、連通ヘッドとによって構成され、前記貯蔵チャンバの左側面に設置された前記軟質膜を含み、前記貯蔵チャンバの頂面には上方に開口した前記開口チャンバが設置され、前記開口チャンバの中には前記ねじれ板が回転できるように連結され、前記開口チャンバの後壁には前記ねじれ板と当接できる前記止めブロックが設置され、前記ねじれ板は下方へ運動しかできなく、前記貯蔵チャンバの底面には前記ウォータータンクと連通した前記連通ヘッドが固定的に設置されており、
前記報知装置は探知器と、送信機と、第一電線とによって構成され、前記ウォータータンクの右側壁に固定的に装着された前記探知器を含み、前記探知器の上側には前記浮きブロックと固定的に連結された前記送信機が設置され、前記送信機と前記探知器との間には前記第一電線が連結されており、
前記制御装置は回転軸と、第二歯車と、ソーラーパネルと、第二電線と、電池と、制御板と、第五電線と、横向きスライドチャンバと、第一紐チャンバと、電気接続板と、電気接続ヘッドと、第一紐と、第三紐と、第三電線と、第四電線と、水ポンプとによって構成され、前記作動チャンバの上下側壁に回転できるように装着された前記回転軸を含み、前記回転軸には前記ラックと噛み合っている前記第二歯車が固定的に設置され、前記回転軸が上方に伸びて前記作動チャンバの頂壁を貫通しており、且つ前記浮きブロックの頂面と回転できるように連結され、前記回転軸の左側には前記ソーラーパネルが固定的に設置され、前記回転軸の中には前記ソーラーパネルと連結された前記第二電線が設置され、前記回転軸の底側には前記電池が設置され、前記第二電線が前記電池と連結され、前記電池の底側には前記制御板が設置され、前記制御板と前記電池との間には前記第五電線が連結され、前記制御板の底側には前記横向きスライドチャンバが設置され、前記横向きスライドチャンバの左右側壁には前記第一紐チャンバが設置され、前記第一紐チャンバの右側が前記軟質膜と連結され、前記横向きスライドチャンバの中には前記電気接続板がスライドできるように連結され、前記電気接続板の中には前記電気接続ヘッドが左右対称的に設置され、前記軟質膜の左側面と前記電気接続板の右側面とには前記第一紐が連結され、前記電気接続板の左側面には前記第三紐が連結され、前記第三紐のもう一端が後方に伸びてから前方に伸びて前記短板の右側面と固定的に連結され、前記制御板の底面には前記第三電線が左右対称的に設置され、前記第三電線が前記モーターと連結され、前記第三電線は前記電気接続ヘッドと通電できるように連結されることができ、一つの時間帯に、一つの前記第三電線が前記電気接続ヘッドと連通しかできなく、前記制御板の右側面には前記第四電線が連結され、前記第四電線の片側には前記水ポンプが連結され、前記水ポンプが前記ウォータータンクの底壁と連通しており、
前記引っ掛かり針が右方へ移動する時に前記第一歯車を回転連動させることができ、前記引っ掛かり針が左方へ移動する時に前記第一歯車を回転連動させることができなく、毎回右方へ移動する距離は非常に小さく、前記第一歯車が前記ラックを一番右方に移動連動させるまでかかった時間は十二時間であり、
右側の前記第三電線が通電した時に前記モーターが正方向に回転するのであり、左側の前記第三電線が通電した時に前記モーターが逆方向に回転するのであり、
検査する時、まず前記浮きブロックを岸辺に固定し、その後、前記ねじれ板を下方へプッシュし、その後、前記貯蔵チャンバの中にＰＨ試薬液を入れ、右側の前記第三電線が正方向にモーターを起動連動させ、前記モーター軸が正方向に回転し始め、その後、上側の前記ラチェット歯車機構は前記カムを回転連動させ、それによって前記移動板を右方へ移動連動させ、それによって前記移動板と前記移動ロッドとが右方へ移動し、それによって前記移動板を絶えずに回し、それによって前記移動ロッドと前記昇降ロッドとが往復運動を行い、前記引っ掛かり針が右方へ運動する時に前記ラチェット歯車を回転連動させることができ、それによって前記駆動軸と前記第一歯車とを回転連動させ始め、それによって前記ラックを右方へ移動連動させ、それによって前記第二歯車と、前記回転軸と、前記ソーラーパネルとを緩く旋転連動させ、それによって前記ソーラーパネルを始終に太陽の位置と合わせ、それによって前記ソーラーパネルは前記第二電線によって電池を充電でき、前記ラックが一番右側に運動した時、前記軟質膜を右方へ押し、それによって一部のＰＨ試薬液を前記ウォータータンクの中に押し出し、その後、前記軟質膜が前記第一紐によって前記電気接続板を右方へ移動連動させ、左側の前記電気接続ヘッドが前記第三電線と接続され、それによって前記モーターを逆方向に回転連動させ、それによって前記巻き車を旋転連動させ、それによって前記第二紐が前記ラックを一番左端に引き戻し、その後、前記ラックが前記短板を左方へ引き動かし、それによって前記第三紐によって前記電気接続板を左側に引き戻して改めて前記モーターを正方向に始動し、前記制御板は十二時間ごとに前記第四電線によって前記水ポンプを開け、それによって水を前記ウォータータンクの中に吸い上げ、そしてＰＨ試薬液と混合し、前記探知器は水の色が臨界点に達したことを検出した時、前記第一電線によって前記送信機に送信し、その後、前記送信機は信号を外部に反射して自動で報知でき、その後、前記水ポンプによって前記ウォータータンクの中の水を前記ウォータータンクから排出することを特徴とする水源を定期的にサンプリングして水質を検査することの報知装置。
【手続補正２】
【補正対象書類名】明細書
【補正対象項目名】全文
【補正方法】変更
【補正の内容】
【発明の詳細な説明】
【技術分野】
【０００１】
本発明は水質検査分野に関わり、具体的には水源を定期的にサンプリングして水質を検査することの報知装置である。
【背景技術】
【０００２】
国は環境保護を重視することにつれて、多くの地域の汚染された河流は次第に整備され、整備された河流の後期の管理は非常に重要であり、一旦管理は不十分であれば、整備された河流は再び汚染される恐れがあり、その故、常に河流に水質検査を行う必要があり、しかし一般的には、人で水質を検査することのであり、このような方式は労働力を費やすだけではなく、作業効率も低く、従って定期に水源の水質を検査できる装置をデザインする必要がある。
【先行技術文献】
【特許文献】
【０００３】
【特許文献１】中国特許出願公開第１０６０９３３３４号明細書
【発明の概要】
【発明が解決しようとする課題】
【０００４】
本発明の目的は水源を定期的にサンプリングして水質を検査することの報知装置を提供するのであり、それは上記背景技術にある欠点を解消できる。
【課題を解決するための手段】
【０００５】
上記の目的を実現するため、本発明は以下の技術プランを提供する：水源を定期的にサンプリングして水質を検査することの報知装置であり、水源を定期的にサンプリングして水質を検査することの報知装置は浮きブロックを含み、前記浮きブロックの中には作動チャンバが設置され、前記作動チャンバの中には定時装置が設置されている。
【０００６】
前記定時装置は前記作動チャンバの底壁に固定的に装着されたベースを含み、前記ベースの中には昇降ロッドがスライドできるように連結され、前記昇降ロッドと前記ベースとの間には連結ばねが連結され、前記昇降ロッドの中には移動ロッドがスライドできるように連結され、前記移動ロッドの左側には移動板が固定的に設置され、前記移動板と前記ベースとの間には復帰ばねが連結され、前記作動チャンバの前後両側壁にはヒンジ軸が回転できるように連結され、前記ヒンジ軸には引っ掛かり針が固定的に設置され、前記引っ掛かり針が前記移動ロッドとヒンジで連結され、前記作動チャンバの後壁には駆動軸が回転できるように連結され、前記駆動軸の前側には前記引っ掛かり針と協働されたラチェット歯車が固定的に設置され、前記駆動軸の後側には第一歯車が固定的に設置されている。
【０００７】
前記作動チャンバの底側には底部空間が設置され、前記底部空間と前記作動チャンバとの中には動力装置が設置され、前記作動チャンバの後壁にはラックスライドチャンバが設置され、前記ラックスライドチャンバの中には移動装置が設置され、前記ラックスライドチャンバの左側には前記底部空間と連通した第二紐チャンバが連通しており、前記ラックスライドチャンバの右側には貯蔵チャンバが設置され、前記貯蔵チャンバの中には水質を検査できる検査装置が設置され、前記移動装置は前記検査装置を始動でき、前記貯蔵チャンバの下側にはウォータータンクが設置され、前記ウォータータンクの中には検査装置を協働する報知装置が設置され、前記浮きブロックの中にはまた装置全体の作動とエネルギーの提供とを制御する制御装置がある。
【０００８】
上記の技術プランに基づいて、前記動力装置はモーターと、モーター軸と、Ｌ型ロッドと、カムと、第一Ｔ型環状チャンバと、ラチェット歯車機構と、連動ブロックと、制限スライドチャンバと、制限ブロックと、Ｔ型ロッドと、巻き車と、第二紐と、第二Ｔ型環状チャンバとによって構成され、前記作動チャンバの底壁に固定的に装着された前記モーターを含み、前記モーターの中には前記底部空間の底壁と回転できるように連結された前記モーター軸が連結され、前記作動チャンバの左側壁には前記Ｌ型ロッドが固定的に設置され、前記モーター軸の頂側には前記カムが設置され、前記カムの頂面には上方に開口した前記第一Ｔ型環状チャンバが設置され、前記第一Ｔ型環状チャンバが前記Ｌ型ロッドとスライドできるように連結され、前記カムと前記モーター軸との間には前記ラチェット歯車機構が設置され、前記ラチェット歯車機構は前記モーター軸に固定的に装着された前記連動ブロックを含み、前記カムの内壁の中には前記制限スライドチャンバが左右対称的に設置され、前記制限スライドチャンバの中には前記制限ブロックがスライドできるように連結され、前記制限ブロックが前記連動ブロックと当接でき、前記モーター軸が正方向に回転することを通して前記連動ブロックによって前記制限ブロックと前記カムとを回転連動させることができ、それに反しては、前記モーター軸が逆方向に回転することを通して前記連動ブロックによって前記制限ブロックと前記カムとを回転連動させることができなく、前記底部空間の底壁には前記Ｔ型ロッドが左右対称的に固定的に設置され、前記モーター軸の底側には前記巻き車が設置され、前記巻き車の中には下方に開口した前記第二Ｔ型環状チャンバが設置され、前記第二Ｔ型環状チャンバが前記Ｔ型ロッドとスライドできるように連結され、前記巻き車と前記モーター軸との間には前記ラチェット歯車機構の取り付け方向と反対であるもう一つの前記ラチェット歯車機構が設置され、前記モーター軸が逆方向に回転することによって前記巻き車を回転連動させることができ、それに反して前記モーター軸が正方向に回転すれば、前記巻き車を回転連動させることができない。
【０００９】
上記の技術プランに基づいて、前記移動装置はラックと、短板スライドチャンバと、短板と、小ばねとによって構成され、前記ラックスライドチャンバの中にスライドできるように装着された前記ラックを含み、前記巻き車と前記ラックとの間には前記第二紐が連結され、前記ラックが前記第一歯車と噛み合っており、前記ラックスライドチャンバの底壁には前記短板スライドチャンバが設置され、前記短板スライドチャンバの中には前記ラックと当接できる前記短板がスライドできるように連結され、前記短板と前記短板スライドチャンバとの間には前記小ばねが連結されている。
【００１０】
上記の技術プランに基づいて、前記検査装置は軟質膜と、開口チャンバと、ねじれ板と、止めブロックと、連通ヘッドとによって構成され、前記貯蔵チャンバの左側面に設置された前記軟質膜を含み、前記貯蔵チャンバの頂面には上方に開口した前記開口チャンバが設置され、前記開口チャンバの中には前記ねじれ板が回転できるように連結され、前記開口チャンバの後壁には前記ねじれ板と当接できる前記止めブロックが設置され、前記ねじれ板は下方へ運動しかできなく、前記貯蔵チャンバの底面には前記ウォータータンクと連通した前記連通ヘッドが固定的に設置されている。
【００１１】
上記の技術プランに基づいて、前記報知装置は探知器と、送信機と、第一電線とによって構成され、前記ウォータータンクの右側壁に固定的に装着された前記探知器を含み、前記探知器の上側には前記浮きブロックと固定的に連結された前記送信機が設置され、前記送信機と前記探知器との間には前記第一電線が連結されている。
【００１２】
上記の技術プランに基づいて、前記制御装置は回転軸と、第二歯車と、ソーラーパネルと、第二電線と、電池と、制御板と、第五電線と、横向きスライドチャンバと、第一紐チャンバと、電気接続板と、電気接続ヘッドと、第一紐と、第三紐と、第三電線と、第四電線と、水ポンプとによって構成され、前記作動チャンバの上下側壁に回転できるように装着された前記回転軸を含み、前記回転軸には前記ラックと噛み合っている前記第二歯車が固定的に設置され、前記回転軸が上方に伸びて前記作動チャンバの頂壁を貫通しており、且つ前記浮きブロックの頂面と回転できるように連結され、前記回転軸の左側には前記ソーラーパネルが固定的に設置され、前記回転軸の中には前記ソーラーパネルと連結された前記第二電線が設置され、前記回転軸の底側には前記電池が設置され、前記第二電線が前記電池と連結され、前記電池の底側には前記制御板が設置され、前記制御板と前記電池との間には前記第五電線が連結され、前記制御板の底側には前記横向きスライドチャンバが設置され、前記横向きスライドチャンバの左右側壁には前記第一紐チャンバが設置され、前記第一紐チャンバの右側が前記軟質膜と連結され、前記横向きスライドチャンバの中には前記電気接続板がスライドできるように連結され、前記電気接続板の中には前記電気接続ヘッドが左右対称的に設置され、前記軟質膜の左側面と前記電気接続板の右側面とには前記第一紐が連結され、前記電気接続板の左側面には前記第三紐が連結され、前記第三紐のもう一端が後方に伸びてから前方に伸びて前記短板の右側面と固定的に連結され、前記制御板の底面には前記第三電線が左右対称的に設置され、前記第三電線が前記モーターと連結され、前記第三電線は前記電気接続ヘッドと通電できるように連結されることができ、一つの時間帯に、一つの前記第三電線が前記電気接続ヘッドと連通しかできなく、前記制御板の右側面には前記第四電線が連結され、前記第四電線の片側には前記水ポンプが連結され、前記水ポンプが前記ウォータータンクの底壁と連通している。
【００１３】
上記の技術プランに基づいて、前記引っ掛かり針が右方へ移動する時に前記第一歯車を回転連動させることができ、前記引っ掛かり針が左方へ移動する時に前記第一歯車を回転連動させることができなく、毎回右方へ移動する距離は非常に小さく、前記第一歯車が前記ラックを一番右方に移動連動させるまでかかった時間は十二時間である。
【００１４】
上記の技術プランに基づいて、右側の前記第三電線が通電した時に前記モーターが正方向に回転するのであり、左側の前記第三電線が通電した時に前記モーターが逆方向に回転するのである。
【発明の効果】
【００１５】
本発明の有益な効果は：本装置は河流などの水源の岸辺に固定的に装着されることができ、そして本装置は十二時間ごとに起動して一回作動し、定時に水源の水質を検査し、効果的に作業員の時間を節約でき、また水質を検査することを忘れなく、水源の水素イオン指数は明らかに変わり、又は臨界点に達した時、装置は自動で報知できる。
本装置は太陽エネルギーによって駆動され、定期に電池を入れ替えることを省き、同時に装置は昼の時に自動でソーラーパネルを回転連動させることができ、太陽に始終に向いており、充電するのに便利を与える。
【図面の簡単な説明】
【００１６】
下記に図１〜７をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１７】
【図１】図１は本発明の水源を定期的にサンプリングして水質を検査することの報知装置の全体全断面の正面構成概略図
【図２】図２は本発明の図１の中のＡのところの部分拡大図
【図３】図３は本発明の図１の中のＢのところの部分拡大図
【図４】図４は本発明の図１の中のＣのところの部分拡大図
【図５】図５は本発明の図１の中のＤのところの部分拡大図
【図６】図６は本発明の図１の中のＥのところの部分拡大図
【図７】図７は本発明の図４の中のＦ―Ｆ方向の断面図
【発明を実施するための形態】
【００１８】
本説明書に開示したすべての特徴、または開示したすべての方法または過程中のステップは、互いに排斥する特徴と／またはステップ以外に、いずれもあらゆる方式で組み合わせることができる。
【００１９】
本説明書（いかなる追加の特許請求項と摘要と付図を含む）に公開したすべての特徴は、特別な説明を除き、いずれも他の同等または類似の目的がある代わり特徴に代われることができ、即ち、特別な説明を除き、全ての特徴はただ一連の同等のまたは類似の特徴の中の一例である。
【００２０】
図１〜７を参考し、本発明の実施例は：水源を定期的にサンプリングして水質を検査することの報知装置であり、水源を定期的にサンプリングして水質を検査することの報知装置は浮きブロック２１を含み、前記浮きブロック２１の中には作動チャンバ３９が設置され、前記作動チャンバ３９の中には定時装置１０１が設置され、前記定時装置１０１は前記作動チャンバ３９の底壁に固定的に装着されたベース７８を含み、前記ベース７８の中には昇降ロッド７７がスライドできるように連結され、前記昇降ロッド７７と前記ベース７８との間には連結ばね７９が連結され、前記昇降ロッド７７の中には移動ロッド７６がスライドできるように連結され、前記移動ロッド７６の左側には移動板７５が固定的に設置され、前記移動板７５と前記ベース７８との間には復帰ばね７４が連結され、前記作動チャンバ３９の前後両側壁にはヒンジ軸８０が回転できるように連結され、前記ヒンジ軸８０には引っ掛かり針５４が固定的に設置され、前記引っ掛かり針５４が前記移動ロッド７６とヒンジで連結され、前記作動チャンバ３９の後壁には駆動軸５５が回転できるように連結され、前記駆動軸５５の前側には前記引っ掛かり針５４と協働されたラチェット歯車５６が固定的に設置され、前記駆動軸５５の後側には第一歯車５７が固定的に設置され、前記作動チャンバ３９の底側には底部空間４３が設置され、前記底部空間４３と前記作動チャンバ３９との中には動力装置１０２が設置され、前記作動チャンバ３９の後壁にはラックスライドチャンバ３１が設置され、前記ラックスライドチャンバ３１の中には移動装置１０３が設置され、前記ラックスライドチャンバ３１の左側には前記底部空間４３と連通した第二紐チャンバ４０が連通しており、前記ラックスライドチャンバ３１の右側には貯蔵チャンバ２８が設置され、前記貯蔵チャンバ２８の中には水質を検査できる検査装置１０４が設置され、前記移動装置１０３は前記検査装置１０４を始動でき、前記貯蔵チャンバ２８の下側にはウォータータンク２２が設置され、前記ウォータータンク２２の中には検査装置１０４を協働する報知装置１０５が設置され、前記浮きブロック２１の中にはまた装置全体の作動とエネルギーの提供とを制御する制御装置１０６がある。
【００２１】
また、一つの実施例に、前記動力装置１０２は前記作動チャンバ３９の底壁に固定的に装着されたモーター４２を含み、前記モーター４２の中には前記底部空間４３の底壁と回転できるように連結されたモーター軸７３が連結され、前記作動チャンバ３９の左側壁にはＬ型ロッド５９が固定的に設置され、前記モーター軸７３の頂側にはカム６０が設置され、前記カム６０の頂面には上方に開口した第一Ｔ型環状チャンバ６４が設置され、前記第一Ｔ型環状チャンバ６４が前記Ｌ型ロッド５９とスライドできるように連結され、前記カム６０と前記モーター軸７３との間にはラチェット歯車機構１０７が設置され、前記ラチェット歯車機構１０７は前記モーター軸７３に固定的に装着された連動ブロック６３を含み、前記カム６０の内壁の中には制限スライドチャンバ６１が左右対称的に設置され、前記制限スライドチャンバ６１の中には制限ブロック６２がスライドできるように連結され、前記制限ブロック６２が前記連動ブロック６３と当接でき、前記モーター軸７３が正方向に回転することを通して前記連動ブロック６３によって前記制限ブロック６２と前記カム６０とを回転連動させることができ、それに反しては、前記モーター軸７３が逆方向に回転することを通して前記連動ブロック６３によって前記制限ブロック６２と前記カム６０とを回転連動させることができなく、前記底部空間４３の底壁にはＴ型ロッド６８が左右対称的に固定的に設置され、前記モーター軸７３の底側には巻き車７０が設置され、前記巻き車７０の中には下方に開口した第二Ｔ型環状チャンバ６９が設置され、前記第二Ｔ型環状チャンバ６９が前記Ｔ型ロッド６８とスライドできるように連結され、前記巻き車７０と前記モーター軸７３との間には前記ラチェット歯車機構１０７の取り付け方向と反対であるもう一つの前記ラチェット歯車機構１０７が設置され、前記モーター軸７３が逆方向に回転することによって前記巻き車７０を回転連動させることができ、それに反して前記モーター軸７３が正方向に回転すれば、前記巻き車７０を回転連動させることができない。
【００２２】
また、一つの実施例に、前記移動装置１０３は前記ラックスライドチャンバ３１の中にスライドできるように装着されたラック３８を含み、前記巻き車７０と前記ラック３８との間には前記第二紐４１が連結され、前記ラック３８が前記第一歯車５７と噛み合っており、前記ラックスライドチャンバ３１の底壁には短板スライドチャンバ６７が設置され、前記短板スライドチャンバ６７の中には前記ラック３８と当接できる短板６５がスライドできるように連結され、前記短板６５と前記短板スライドチャンバ６７との間には小ばね６６が連結され、前記第一歯車５７は前記ラック３８を右方へ移動連動させることができる。
【００２３】
また、一つの実施例に、前記検査装置１０４は前記貯蔵チャンバ２８の左側面に設置された軟質膜２９を含み、前記貯蔵チャンバ２８の頂面には上方に開口した開口チャンバ８１が設置され、前記開口チャンバ８１の中にはねじれ板７１が回転できるように連結され、前記開口チャンバ８１の後壁には前記ねじれ板７１と当接できる止めブロック７２が設置され、前記ねじれ板７１は下方へ運動しかできなく、前記貯蔵チャンバ２８の底面には前記ウォータータンク２２と連通した連通ヘッド２５が固定的に設置され、前記ねじれ板７１を下方へプッシュでき、その後、前記貯蔵チャンバ２８の中にＰＨ試薬液を入れられる。
【００２４】
また、一つの実施例に、前記報知装置１０５は前記ウォータータンク２２の右側壁に固定的に装着された探知器２３を含み、前記探知器２３の上側には前記浮きブロック２１と固定的に連結された送信機２７が設置され、前記送信機２７と前記探知器２３との間には第一電線２４が連結され、それによって前記探知器２３は水の色が臨界点に達したことを検出した時、前記第一電線２４によって前記送信機２７に送信することができ、その後、前記送信機２７は信号を外部に反射して自動で報知することができる。
【００２５】
また、一つの実施例に、前記制御装置１０６は前記作動チャンバ３９の上下側壁に回転できるように装着された回転軸３５を含み、前記回転軸３５には前記ラック３８と噛み合っている第二歯車３４が固定的に設置され、前記回転軸３５が上方に伸びて前記作動チャンバ３９の頂壁を貫通しており、且つ前記浮きブロック２１の頂面と回転できるように連結され、前記回転軸３５の左側にはソーラーパネル３７が固定的に設置され、前記回転軸３５の中には前記ソーラーパネル３７と連結された第二電線３６が設置され、前記回転軸３５の底側には電池５３が設置され、前記第二電線３６が前記電池５３と連結され、前記電池５３の底側には制御板５１が設置され、前記制御板５１と前記電池５３との間には第五電線５２が連結され、前記制御板５１の底側には横向きスライドチャンバ４８が設置され、前記横向きスライドチャンバ４８の左右側壁には第一紐チャンバ３２が設置され、前記第一紐チャンバ３２の右側が前記軟質膜２９と連結され、前記横向きスライドチャンバ４８の中には電気接続板４６がスライドできるように連結され、前記電気接続板４６の中には電気接続ヘッド４７が左右対称的に設置され、前記軟質膜２９の左側面と前記電気接続板４６の右側面とには第一紐３０が連結され、前記電気接続板４６の左側面には第三紐４４が連結され、前記第三紐４４のもう一端が後方に伸びてから前方に伸びて前記短板６５の右側面と固定的に連結され、前記制御板５１の底面には第三電線４５が左右対称的に設置され、前記第三電線４５が前記モーター４２と連結され、前記第三電線４５は前記電気接続ヘッド４７と通電できるように連結されることができ、一つの時間帯に、一つの前記第三電線４５が前記電気接続ヘッド４７と連通しかできなく、前記制御板５１の右側面には第四電線４９が連結され、前記第四電線４９の片側には水ポンプ５０が連結され、前記水ポンプ５０が前記ウォータータンク２２の底壁と連通しており、それによって前記ラック３８は前記第二歯車３４と、前記回転軸３５と、前記ソーラーパネル３７とを旋転連動させ、それによって前記ソーラーパネル３７は前記第二電線３６によって前記電池５３を充電できる。
【００２６】
また、一つの実施例に、前記引っ掛かり針５４が右方へ移動する時に前記第一歯車５７を回転連動させることができ、前記引っ掛かり針５４が左方へ移動する時に前記第一歯車５７を回転連動させることができなく、毎回右方へ移動する距離は非常に小さく、前記第一歯車５７が前記ラック３８を一番右方に移動連動させるまでかかった時間は十二時間であり、それによって前記ソーラーパネル３７は昼の時に始終に太陽の移動によって旋転できる。
【００２７】
また、一つの実施例に、右側の前記第三電線４５が通電した時に前記モーター４２が正方向に回転するのであり、左側の前記第三電線４５が通電した時に前記モーター４２が逆方向に回転するのである。
【００２８】
検査する時、まず浮きブロック２１を岸辺に固定し、その後、ねじれ板７１を下方へプッシュし、その後、貯蔵チャンバ２８の中にＰＨ試薬液を入れ、右側の第三電線４５が正方向にモーター４２を起動連動させ、モーター軸７３が正方向に回転し始め、その後、上側のラチェット歯車機構１０７はカム６０を回転連動させ、それによって移動板７５を右方へ移動連動させ、それによって移動板７５と移動ロッド７６とが右方へ移動し、それによって移動板７５を絶えずに回し、それによって移動ロッド７６と昇降ロッド７７とが往復運動を行い、引っ掛かり針５４が右方へ運動する時にラチェット歯車５６を回転連動させることができ、それによって駆動軸５５と第一歯車５７とを回転連動させ始め、それによってラック３８を右方へ移動連動させ、それによって第二歯車３４と、回転軸３５と、ソーラーパネル３７とを緩く旋転連動させ、それによってソーラーパネル３７を始終に太陽の位置と合わせ、それによってソーラーパネル３７は第二電線３６によって電池５３を充電でき、ラック３８が一番右側に運動した時、軟質膜２９を右方へ押し、それによって一部のＰＨ試薬液をウォータータンク２２の中に押し出し、その後、軟質膜２９が第一紐３０によって電気接続板４６を右方へ移動連動させ、左側の電気接続ヘッド４７が第三電線４５と接続され、それによってモーター４２を逆方向に回転連動させ、それによって巻き車７０を旋転連動させ、それによって第二紐４１がラック３８を一番左端に引き戻し、その後、ラック３８が短板６５を左方へ引き動かし、それによって第三紐４４によって電気接続板４６を左側に引き戻して改めてモーター４２を正方向に始動し、制御板５１は十二時間ごとに第四電線４９によって水ポンプ５０を開け、それによって水をウォータータンク２２の中に吸い上げ、そしてＰＨ試薬液と混合し、探知器２３は水の色が臨界点に達したことを検出した時、第一電線２４によって送信機２７に送信し、その後、送信機２７は信号を外部に反射して自動で報知でき、その後、水ポンプ５０によってウォータータンク２２の中の水をウォータータンク２２から排出する。
【００２９】
本発明の有益な効果は：本装置は河流などの水源の岸辺に固定的に装着されることができ、そして本装置は十二時間ごとに起動して一回作動し、定時に水源の水質を検査し、効果的に作業員の時間を節約でき、また水質を検査することを忘れなく、水源の水素イオン指数は明らかに変わり、又は臨界点に達した時、装置は自動で報知できる。
【００３０】
本装置は太陽エネルギーによって駆動され、定期に電池を入れ替えることを省き、同時に装置は昼の時に自動でソーラーパネルを回転連動させることができ、太陽に始終に向いており、充電するのに便利を与える。
【００３１】
上記は、ただ発明の具体的な実施方式であり、発明の保護範囲はこれに限定されたものではなく、創造的な労働を通さなく想到できる全ての変化又は入れ替わりは、本発明の保護範囲の中に含む。したがって、発明の保護範囲は特許請求に限定された保護範囲を基準とするべきである。